(57)【要約】【課題】  圧電振動子を個片化する前のウエハ状態において、複数個同時発振させる際の隣接素子からの周波数干渉により、正確な発振周波数が測定できない。【解決手段】  圧電振動子を複数形成した圧電材料からなるウエハに、フォトリソグラフィを用いて電極パターンを形成する工程において、光源を傾斜させ、フォトレジストを露光する照射光が、ウエハに対して斜めに当たるようにして、ウエハのフレーム側面を露光して、電極をパターニングする。【選択図】  図３
2015159437.tif 000002
【特許請求の範囲】
【請求項１】
少なくとも、圧電ウエハ上に所望の形状のマスク層を形成するマスク層パターニング工程と、マスク層を形成した圧電ウエハをエッチングして、複数の圧電振動片が連結して備わる圧電振動片基板を形成する圧電振動片基板形成工程と、圧電振動片基板に連結する複数の圧電振動片上に電極を形成する電極形成工程とを有し、圧電振動片基板に形成した隣接する圧電振動片を同時発振させる特性測定工程、または、周波数調整工程のいずれかを含む圧電振動子の製造方法であって、
前記電極形成工程では、フォトリソグラフィを用いて、圧電振動片上に電極を形成するとともに、圧電振動片基板のフレームに測定用パッドを形成し、フォトリソグラフィで用いる光源を傾斜させ、照射光をフレームの側面に対して斜めに当てることを特徴とする圧電振動子の製造方法。
【請求項２】
請求項１記載の圧電振動子が、音叉型水晶振動子、または、厚み滑り水晶振動子であることを特徴とする圧電振動子の製造方法。
【発明の詳細な説明】
【技術分野】
【０００１】
本発明は、携帯電話などの発振回路に用いられる圧電振動子の製造方法に関する。
【背景技術】
【０００２】
圧電振動子は、水晶などの圧電材料からなり、発振周波数に応じて、矩形の厚みすべり水晶振動子や、複数の振動腕を備え屈曲振動する音叉型水晶振動子などが用いられている。図１は、音叉型水晶振動子の概略図である。音叉型水晶振動子１は、２つの振動腕２と音叉基部３とからなり、振動腕２の表裏面、及び側面には励振電極４が形成され、音叉基部３にはマウントパッド５が形成され、励振電極４に電圧を印加することで電界が発生し、屈曲振動をする。圧電振動子の電極パターンを形成する手法として、フォトリソグラフィを用いた手法が知られている。
【０００３】
圧電材料からなるウエハに形成された圧電振動子は、連結部分を介して、ウエハのフレームと連結し、フレームには、圧電振動子の特性測定や周波数調整を行うための測定用パッドが形成されている。
【０００４】
水晶などの圧電材料をウエットエッチングする際、結晶面毎にエッチングレートが異なり異方性エッチングとなるため、振動腕の付け根部分に形成される叉部には傾斜面が生じ、特許文献１に記載されているように、叉部に対して照射光を垂直に照射する方向に近づくように光源を傾斜させて露光を行う手法が提案されている。
【先行技術文献】
【特許文献】
【０００５】
【特許文献１】特開２００６−３３９７２９公報
【発明の概要】
【発明が解決しようとする課題】
【０００６】
従来、ウエハ状態において圧電振動子の特性測定や周波数調整を行う場合には素子のマウントパッドを使用してプロービングを行なっていたが、素子の小型化が進むにつれてプローブピッチの狭小化、プローブ位置の高精度化が必要となり、マウントパッドでのプロービングが困難になってきている。そのため、小型圧電振動子ではパッドを大きくできる様にウエハのフレームに測定用パッドを形成することが必要であるが、フレーム側面の金属膜が正確にパターニングされないと、フレーム側面の金属膜を介して隣接素子と電極が導通することにより複数個同時発振させる場合に周波数干渉が起こり、正確な発振周波数が測定できないという問題が生じる。
【０００７】
本発明は、生産工程の工程数を増やすことなく、ウエハ状態での測定において隣接素子の影響を受けない圧電振動子の製造方法を提供することを目的とする。
【課題を解決するための手段】
【０００８】
少なくとも、圧電ウエハ上に所望の形状のマスク層を形成するマスク層パターニング工程と、マスク層を形成した圧電ウエハをエッチングして、複数の圧電振動片が連結して備わる圧電振動片基板を形成する圧電振動片基板形成工程と、圧電振動片基板に連結する複数の圧電振動片上に電極を形成する電極形成工程とを有し、圧電振動片基板に形成した隣接する圧電振動片を同時発振させる特性測定工程、または、周波数調整工程のいずれかを含む圧電振動子の製造方法であって、電極形成工程では、フォトリソグラフィを用いて、圧電振動片上に電極を形成するとともに、圧電振動片基板のフレームに測定用パッドを形成し、フォトリソグラフィで用いる光源を傾斜させ、照射光をフレームの側面に対して斜めに当てる圧電振動子の製造方法とする。
【０００９】
圧電振動子が、音叉型水晶振動子、または、厚み滑り水晶振動子である圧電振動子の製造方法とする。
【発明の効果】
【００１０】
本発明の方法によれば、生産工程の工程数を増やすことなく、ウエハ状態での測定において隣接素子の影響を受けない圧電振動子の製造方法を提供することができる。
【図面の簡単な説明】
【００１１】
【図１】音叉型水晶振動子の概略図
【図２】圧電振動片基板の上面図
【図３】本発明における露光プロセスを説明する概略図
【発明を実施するための形態】
【００１２】
本発明の実施形態を、音叉型水晶振動子を例に、図を用いて説明する。
【００１３】
まず、マスク層パターニング工程では、圧電ウエハの表裏に例えばＡｕ／Ｃｒからなる耐蝕膜を成膜後、フォトレジストを塗布する。次に音叉型水晶振動子の形状に対応したフォトマスクを利用して露光・現像する。その後、Ａｕ膜、Ｃｒ膜をエッチングすることにより、音叉型水晶振動子の外形形状に対応したマスク層を形成する。
【００１４】
次に、圧電振動片基板形成工程では、マスク層を形成した圧電ウエハをフッ酸・フッ化アンモニウム・バッファードフッ酸等のエッチャントによりエッチングした後、不要となったフォトレジスト、耐蝕膜を剥離することにより、図２に示す様に複数の圧電振動片が連結して備わる圧電振動片基板を形成する。音叉型水晶振動子１は圧電振動片基板９のフレーム６に連結部７を介して連結されている。
【００１５】
次に、電極形成工程では、複数の音叉型水晶振動子１が連結された状態の圧電振動片基板９に、例えばＡｕ／Ｃｒからなる金属膜を成膜した後、前記金属膜上にフォトレジストを塗布し、その後、図３に示すように、音叉型水晶振動子１上に配線するための電極パターン、及び測定用パッドに対応したフォトマスク（不図示）を介して、光源１０を傾斜させ、照射光がウエハに対して斜めに当たる様にして露光し、現像を行うことによりフォトレジストパターンを形成する。次に、前記フォトレジストパターンをマスクとして、露出している金属膜をエッチング除去し、残存するフォトレジストを剥離することにより、音叉型水晶振動子１に励振電極４やマウントパッド５などの電極パターンとフレーム６に測定用パッド８とを形成する。この様にフレーム６の側面に光源１０を傾斜させ照射光を当てることで、測定用パッド８は隣接素子の測定用パッド８と確実に電気的に分離できる。
【００１６】
以上の工程により製造された圧電振動片基板では、特性測定工程、または、周波数調整工程において、隣接する圧電振動片を同時発振させる際に周波数干渉等、隣接素子の影響を受けずに正確な発振周波数を測定することができる。
【００１７】
本実施例では、音叉型水晶振動子を例にしたが、これに限定されるものではなく、厚み滑り振動子をウエハにフォトリソグラフィを用いて形成する場合においても、同様に適用できる。
【符号の説明】
【００１８】
１音叉型水晶振動子
２振動腕
３音叉基部
４励振電極
５マウントパッド
６フレーム
７連結部
８測定用パッド
９圧電振動片基板
１０光源
【図１】
2015159437.tif 000003
【図２】
2015159437.tif 000004
【図３】
2015159437.tif 000005